(57)【要約】【課題】外部からの妨害電波による誤検知を防止することができるとともに、外部へ放射される高周波ノイズを低減させることができる静電容量センサを提供する。【解決手段】本静電容量センサ５は、一方の面に人体が近接する検出用電極７と、前記検出用電極と接地１９との間の静電容量の変化により前記人体の近接を判定する制御部８と、前記検出用電極の他方の面と対向し且つ間隙を空けて配設された電子回路基板９と、を備え、前記電子回路基板に搭載された電子回路９ａの基準電位となる導体１７は、コイル１８を介して前記接地と接続されており、前記制御部は、さらに前記導体と前記接地との電位差を検出する電位差検出部２２を備え、前記人体の近接を判定するための基準を前記電位差により変更する。【選択図】図４
2010230438.tif 000002
【特許請求の範囲】
【請求項１】
一方の面に人体が近接する検出用電極と、
前記検出用電極と接地との間の静電容量の変化により前記人体の近接を判定する制御部と、
前記検出用電極の他方の面と対向し且つ間隙を空けて配設された電子回路基板と、
を備え、
前記電子回路基板に搭載された電子回路の基準電位となる導体は、コイルを介して前記接地と接続されており、
前記制御部は、さらに前記導体と前記接地との電位差を検出する電位差検出部を備え、前記人体の近接を判定するための基準を前記電位差により変更することを特徴とする静電容量センサ。
【請求項２】
前記電子回路は、前記検出用電極を照光する発光素子を備え、
前記発光素子の一方の端子は前記制御部に備えられた駆動部に接続されており、他方の端子は前記導体に接続されている請求項１記載の静電容量センサ。
【請求項３】
前記検出用電極は複数設けられており、前記発光素子は複数の該検出用電極に対応して複数設けられている請求項２記載の静電容量センサ。
【請求項４】
前記電位差が所定の範囲内であるときは前記人体の近接を判定する請求項１乃至３のいずれかに記載の静電容量センサ。
【請求項５】
請求項１乃至３のいずれか一項に記載の静電容量センサを用いる静電容量検出方法であって、
前記静電容量の変化を検出する静電容量検出工程と、
前記電位差を検出する電位差検出工程と、
前記静電容量検出工程によって検出された静電容量の変化により前記人体の近接を判定する判定工程と、
を備え、
前記判定工程は、前記電位差検出工程によって検出された電位差により前記判定の基準を変更することを特徴とする静電容量検出方法。
【請求項６】
前記判定工程は、前記電位差が所定の範囲内であるときは前記人体の近接を判定する請求項５記載の静電容量検出方法。
【発明の詳細な説明】
【技術分野】
【０００１】
本発明は、人体の近接検知に適用できる静電容量センサ及び静電容量検出方法に関し、詳しくは、外部からの妨害電波による誤検知を防止することができるとともに、外部へ放射される高周波ノイズを低減させることができる静電容量センサ及び静電容量検出方法に関する。
【背景技術】
【０００２】
従来、静電容量センサとして、人体が近接する検出用電極と接地された電極とを備え、電極間の静電容量の変化により人体の近接を検知するものが知られている。このような静電容量センサでは、温度や湿度、振動等の外部環境の変動がノイズとなって検出精度が低いという問題があった。とくに検出電極の検出面の面積が大きいほど環境変動の影響が大きくなるため、検出用電極の裏側に帯電板を設けて両者の間にコンデンサを形成することにより、検出電極の大きさに関わらず検出精度を高めた静電容量センサが開示されている（特許文献１参照）。
しかし、静電容量センサにおいて誤検知を生じる大きな原因に、外部からの電磁妨害波の影響がある。また、静電容量センサの制御動作によって高周波ノイズが放射され、外部の電子機器の動作に影響を及ぼすという問題がある。
一般に、外来の高周波ノイズの影響を低減するとともに、外部に放出される高周波ノイズを低減するために、当該装置を金属製のケースによって密閉するように収納する方法がある。しかし、装置の全体を覆う金属ケースを採用すると、コスト高となったり、大型で重量が重くなったりする。しかも、静電容量センサの場合、人体が近接する検出用電極を外部に開放させる必要があるため、静電容量センサの全体を金属製ケースに収容する方策を採用することができない。
【先行技術文献】
【特許文献】
【０００３】
【特許文献１】特開２０００−２８３０９号公報
【発明の概要】
【発明が解決しようとする課題】
【０００４】
前記のとおり、人体の近接を検知するために使用される静電容量センサにおいては、外部からの電磁妨害波による誤検知を防止し、外部へ放射される電磁妨害波を低減する必要がある。とくに、車両に搭載される静電容量センサである場合には、前記の電磁妨害波に対する耐性（ＥＭＣ、Ｅｌｅｃｔｒｏｍａｇｎｅｔｉｃ  Ｃｏｍｐａｔｉｂｉｌｉｔｙ）の向上は、重要な課題となっている。
【０００５】
本発明は、前記現状に鑑みてなされたものであり、外部からの妨害電波による誤検知を防止することができるとともに、外部へ放射される高周波ノイズを低減させることができる静電容量センサ及び静電容量検出方法を提供することを目的とする。
【課題を解決するための手段】
【０００６】
本発明は、以下の通りである。
１．一方の面に人体が近接する検出用電極と、前記検出用電極と接地との間の静電容量の変化により前記人体の近接を判定する制御部と、前記検出用電極の他方の面と対向し且つ間隙を空けて配設された電子回路基板と、を備え、前記電子回路基板に搭載された電子回路の基準電位となる導体は、コイルを介して前記接地と接続されており、前記制御部は、さらに前記導体と前記接地との電位差を検出する電位差検出部を備え、前記人体の近接を判定するための基準を前記電位差により変更することを特徴とする静電容量センサ。
２．前記電子回路は、前記検出用電極を照光する発光素子を備え、前記発光素子の一方の端子は前記制御部に備えられた駆動部に接続されており、他方の端子は前記導体に接続されている前記１．記載の静電容量センサ。
３．前記検出用電極は複数設けられており、前記発光素子は複数の該検出用電極に対応して複数設けられている前記２．記載の静電容量センサ。
４．前記電位差が所定の範囲内であるときは前記人体の近接を判定する前記１．乃至３．のいずれかに記載の静電容量センサ。
５．前記１．乃至３．のいずれかに記載の静電容量センサを用いる静電容量検出方法であって、前記静電容量の変化を検出する静電容量検出工程と、前記電位差を検出する電位差検出工程と、前記静電容量検出工程によって検出された静電容量の変化により前記人体の近接を判定する判定工程と、を備え、前記判定工程は、前記電位差検出工程によって検出された電位差により前記判定の基準を変更することを特徴とする静電容量検出方法。
６．前記判定工程は、前記電位差が所定の範囲内であるときは前記人体の近接を判定する前記５．記載の静電容量検出方法。
【発明の効果】
【０００７】
本発明の静電容量センサによれば、検出用電極と対向し且つ間隙を空けて配設された電子回路基板に搭載された電子回路の基準電位となる導体は、コイルを介して接地と接続されており、制御部は該導体と接地との電位差を検出する電位差検出部を備えており、前記人体の近接を判定するための基準を前記電位差により変更するため、外部からの妨害電波によって生じる電位差のレベルによって、人体の近接又は非近接を誤って判定することを防止することができる。また、検出用電極の他方の面と対向し且つ間隙を空けて配設された電子回路基板を備えるため、この電子回路の基準電位となる導体によって、外部へ放射される高周波ノイズを減らし、外部から受ける妨害電波の影響を低減させることができる。さらに、制御部の全体を覆う導電性のケースを備えるものに比べて、静電容量センサの小型化及び低コスト化を図ることができる。
また、前記電子回路が、前記検出用電極を照光する発光素子を備え、前記発光素子の一方の端子は前記制御部に備えられた駆動部に接続されており、その他方の端子は前記導体に接続されていれば、人体の近接の判定又はその判定による動作を使用者に知らせるために、発光素子で検出用電極部を照光することができる。また、発光素子が発生する熱を、電子回路基板上の前記導体を介して放熱させることができる。
さらに、前記検出用電極が複数設けられており、前記発光素子が複数の該検出用電極に対応して複数設けられていれば、多チャンネルの静電容量センサとすることができる。
また、前記電位差が所定の範囲内であるときは人体の近接を判定し、外部からの妨害電波が強いときには人体の近接又は非近接を判定しないようにすることができるため、誤判定を防止することができる。
【０００８】
本発明の静電容量検出方法によれば、検出用電極と接地との間の静電容量の変化が検出されると共に、電子回路基板の導体と接地との電位差が検出され、その検出された電位差によって、静電容量の変化による人体の近接を判定するための基準が変更されるため、外部からの妨害電波によって生じる電位差のレベルによって、人体の近接又は非近接を誤って判定することを防止することができる。
また、前記電位差が所定の範囲内であるときは人体の近接を判定し、外部からの妨害電波が強いときには人体の近接又は非近接を判定しないようにすることができるため、誤判定を防止することができる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る静電容量センサを備える加飾パネルを説明するためのドアトリムの斜視図である。
【図２】前記加飾パネルの一部を破断した要部拡大平面図である。
【図３】図２のＩＩＩ−ＩＩＩ線断面図である。
【図４】前記静電容量センサの電気的構成を示すブロック図である。
【図５】実施例に係る電子回路基板の導体から制御部への入力形態及び電位差検出部の構成例を説明するための電気回路図である。
【発明を実施するための形態】
【００１０】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
１．静電容量センサ
本静電容量センサの概念的な構成を、図４に示す。
本静電容量センサ５は、検出用電極７、制御部８及び電子回路基板９を備え、電子回路基板９に搭載された電子回路９ａの基準電位となる導体１７は、コイル（インダクタ）１８を介して接地１９に接続されている。
【００１２】
前記検出用電極７は、一方の面に人体が近接するように構成される限り、その構造、形状、大きさ、材質、個数等は特に問わない。検出用電極７への人体の「近接」とは、検出用電極の表面（一方の面）を覆う絶縁物を介して人体が接触する形態の他に、検出用電極の表面に直接人体が接触する形態も含むものとする。
また、大地への接続（接地）は、車両においては車体への電気的な接続とすることができる。
【００１３】
前記制御部８は、前記検出用電極７と前記接地１９との間の静電容量の変化を検出する静電容量検出部２１を備える。静電容量検出部２１の構成はとくに限定されず、例えば、静電容量の計測回路や、静電容量の変化を周波数変化に変換する回路等を用いて、検出用電極７の静電容量の変化を検出することができる。
制御部８の制御処理は、ハードウェア、ソフトウェアのいずれによって実現されてもよく、好適には、図示しないＣＰＵ、メモリ（ＲＯＭ、ＲＡＭ等）、入出力回路等を備えるマイクロコントローラ（マイクロコンピュータ）を中心に、入出力インターフェース等周辺回路を備えることにより構成することができる。デジタル信号プロセッサ、プログラム可能な論理回路、ゲートアレーその他の論理回路が用いられて構成されてもよい。
また、制御部８は、各種機器２７（例えば、ルームライト、自動開閉式窓、ラジオ、エアコンディショナ等）と電気的に接続することができる。
【００１４】
前記電子回路基板９は、検出用電極７の他方の面と対向し且つ間隙を空けて配設されている限り、その構造、形状、大きさ、材質、個数等は特に問わない。この電子回路基板９と検出用電極７との対向面間の間隔は、電子回路基板９上に搭載される部品と検出用電極７とが物理的に衝突せず、当該部品の機能上最適な（例えば、発光素子１５を検出用電極部のバックライトとして使用するために最適な）間隔とすることができる。
電子回路基板９には、電子回路９ａが搭載される。その電子回路９ａの基準電位となる導体１７は、本発明によらない場合には、通常は制御部８の接地１９と共通にされ、電子回路９ａにおける接地電位となる導体である。導体１７は、プリント配線板に形成された導体パターンに限らず、別の金属板を備えて構成されてもよい。
前記導体１７は、制御部８等と外部環境との相互間の電磁妨害波による干渉（ＥＭＩ）を低減するための遮蔽として作用させることができる。このためには、導体１７は、電子回路基板９において広い面積を占めることが好ましい。
【００１５】
制御部８は、さらに電位差検出部２２を備え、電位差検出部２２は前記導体１７と電気的に接続される。導体１７は、電磁妨害波（高周波ノイズ）を受けるアンテナとして作用させることができ、電位差検出部２２は、高周波ノイズによって導体１７と接地１９との間に介装されたコイル１８に生じる電位差を検出するように構成される。その回路構成は特に限定されるものではなく、例えば、図５に示すように、コイルに生じる高周波交流信号を整流し、平滑化した直流信号の電圧を読み取るＡ／Ｄコンバータを備えて構成することができる。Ａ／Ｄコンバータに代え、前記直流信号の電圧を所定の電圧と比較するコンパレータを備えてもよい。
【００１６】
本静電容量センサ５では、例えば、前記電子回路９ａは、前記検出用電極部のバックライトとして発光素子を備え、前記発光素子の一方の端子が制御部８が備える駆動部２３に接続されており、その他方の端子が前記導体１７に接続されているように構成することができる。前記発光素子としては、例えば、発光ダイオード、エレクトロルミネセンスライト、白熱電球等のバルブ等を挙げることができる。発光ダイオードを使用する場合、図４に示すように、発光ダイオード１５のアノード側の端子が制御部８の駆動部２３に、カソード側の端子が導体１７にそれぞれ接続される。
【００１７】
また、前記検出用電極７が複数設けられる場合には、前記発光素子は複数の該検出用電極に対応して複数設けることができる。
この場合、例えば、複数の検出用電極の一方の面を覆い且つ底方が開放された箱状のカバー部材を更に備え、このカバー部材と電子回路基板との間の空間は隔壁により複数の区画室に区画されており、これら複数の区画室のそれぞれに、少なくとも１つの検出用電極と少なくとも１つの発光素子とが配設されるようにすることができる（例えば、図３参照）。これにより、発光した発光素子に対応した検出用電極部のみを効果的に照光することができる。
【００１８】
次に、前記構成の静電容量センサ５の作用について説明する。
前記検出用電極７への人体の近接によって、検出用電極７と前記接地１９との間の静電容量が変化する。この静電容量の変化による人体の近接の有無の判断には、公知の技術を用いることができる。例えば、検出用電極７と接地１９との間の静電容量を計測してもよいし、静電容量の変化によって生じる発振回路の周波数変化を計測してもよく、その計測値を一定の閾値と比較することによって人体の近接を判定することができる。しかし、外部からの妨害電波（高周波ノイズ）によって前記静電容量の検出に誤差を生じるため、高周波ノイズが強い環境においては検出精度が低下する。
【００１９】
本静電容量センサ５においては、前記導体１７が高周波ノイズを受けると、導体１７と接地１９との間のコイル（インダクタ）１８に高周波ノイズの強弱に応じた電位差が発生する。この電位差が前記電位差検出部２２によって計測される。この計測された電位差のレベルによって、制御部８は、人体の近接を判定するための基準を変更することができる。変更の方法は、ソフトウェアによって種々工夫することができる。例えば、前記電位差のレベルや変動の状態に応じて、静電容量検出のタイミングや、近接の判定のための閾値等パラメータを調整するようにすることができる。また、前記電位差が所定の範囲を超える場合には近接の判定を無効としてもよいし、電位差が所定の範囲内であるときに静電容量を検出して人体の近接を判定するようにしてもよい。その場合、電位差についての所定の範囲は、予め定めておくことができる（例えば、２〜２５００ｍＶ）。また、電位差の変動の状態等によって、前記所定の範囲を制御部８のソフトウェアにより変更するようにすることができる。
【００２０】
制御部８は、以上によって人体の近接状態と判定した場合には、その判定又はその判定による動作を使用者に知らせるために、駆動部２３によって発光素子を駆動し、近接された検出用電極部を照光することができる。
また、制御部８は、人体が近接した検出用電極７の機能に対応する機器２７を制御するための信号を送ることができる。
【００２１】
以上の他、前記導体１７を制御部８等と外部環境との遮蔽として用いることにより、制御部８等から外部に放射される高周波ノイズを低減するとともに、外部から受ける高周波ノイズによる制御部８等の動作への影響を低減させることができる。
また、導体１７によって、電子回路基板９に搭載され導体１７に接続された発光素子等の放熱を効率的にすることができる。
【００２２】
２．静電容量検出方法
本発明に係る静電容量検出方法は、前記静電容量センサを用いる静電容量検出方法であって、前記静電容量の変化を検出する静電容量検出工程と、前記電位差を検出する電位差検出工程と、前記静電容量検出工程によって検出された静電容量の変化により前記人体の近接を判定する判定工程と、を備え、前記判定工程は、前記電位差検出工程によって検出された電位差により前記判定の基準を変更することを特徴とする。
【００２３】
静電容量検出工程は、前記検出用電極７への人体の近接によって生じる、検出用電極７と前記接地１９との間の静電容量の変化を検出する工程である。
電位差検出工程は、前記導体１７が高周波ノイズを受けたときにコイル（インダクタ）１８に発生する電位差を計測する工程である。コイル１８は、導体１７と接地１９との間に介装されている。
判定工程は、前記静電容量検出工程によって検出された静電容量の変化により、人体の近接の有無の判断を行う工程である。この判断に際しては、前記電位差検出工程によって検出された電位差が参照される。すなわち、計測された電位差のレベルによって、人体の近接を判定するための基準を変更することができる。この変更の方法は、ソフトウェアによって種々工夫することができる。例えば、前記電位差のレベルや変動の状態に応じて、前記静電容量検出工程を実行するタイミングや、近接の判定のための閾値等パラメータを調整するようにすることができる。また、前記電位差が所定の範囲を超える場合には近接の判定をしないようにしてもよいし、電位差が所定の範囲内であるときは前記静電容量検出工程の検出値に基づいて人体の近接を判定するようにしてもよい。その場合、電位差についての所定の範囲は、予め定めておくことができる（例えば、２〜２５００ｍＶ）。また、電位差の変動の状態等によって、前記所定の範囲をソフトウェアにより変更するようにすることができる。
【００２４】
以上に加え、前記判定工程によって人体の近接状態と判定した場合には、その判定又はその判定による動作を使用者に知らせるために、近接された検出用電極部を発光素子により照光等する出力工程を備えることができる。出力工程においては、人体が近接した検出用電極７の機能に対応する機器２７に対して制御信号を送ることができる。
【実施例】
【００２５】
以下に、本発明に係る静電容量センサが、車両用の加飾パネルに具備される例を説明する。
本実施例に係る加飾パネル１は、図１に示すように、ドアトリム２のアームレスト３の上側に取り付けられている。この加飾パネル１は、図２〜４に示すように、カバー部材４と、このカバー部材４に装着される静電容量センサ５とを備えている。このカバー部材４は、透明樹脂製であり、底方が開放された長尺箱状に形成されている。
【００２６】
前記静電容量センサ５は、図２〜４に示すように、複数の検出用電極７、制御部８及び電子回路基板９を備えている。この電子回路基板９は、図２及び３に示すように、長尺の矩形板状に形成されており、前記カバー部材４にその底方開放部を塞ぐように取り付けられている。この電子回路基板９とカバー部材４との間には、両者間の空間を複数の区画室１１に区画する複数の隔壁１０が配設されている。これら各区画室１１のそれぞれには、一方の面に人体が近接する検出用電極７が１つずつ配設されている。これら各検出用電極７の他方の面は電子回路基板９と対向している。また、これら各検出用電極７と電子回路基板９との対向面の間隔は約２０ｍｍに設定されている。
なお、カバー部材４の裏面側には、複数の検出用電極７のそれぞれと対応する操作用図柄１２が印刷された印刷層１３が設けられている。
【００２７】
前記電子回路基板９に搭載された電子回路９ａは、図４に示すように、複数の検出用電極７のそれぞれを照光する複数の発光ダイオード１５を備えている。これら各発光ダイオード１５は、そのアノード側の端子が制御部８の駆動部に接続されており、そのカソード側の端子が導体１７に接続されている。また、電子回路基板９に搭載された電子回路９ａの基準電位となる導体１７は、コイル１８を介して接地１９（例えば、車両ボディ等）と接続されている。なお、これら各発光ダイオード１５は、複数の区画室１１のそれぞれに１つずつ配設されている（図３参照）。
【００２８】
前記制御部８は、図示しないＣＰＵ、ＲＯＭ及びＲＡＭを有しており、ＲＯＭに保存された制御プログラムに従ってＣＰＵが各種処理動作を実行し、またＲＡＭはデータの一時保存等に使用される。この制御部８は、図４に示すように、静電容量検出部２１、電位差検出部２２及び駆動部２３を備えている。
【００２９】
前記静電容量検出部２１は、複数の検出用電極７と電気的に接続されており、接地１９と各検出用電極７との間の静電容量の変化を検出する。
前記電位差検出部２２は、電子回路９ａの導体１７と電気的に接続されており、導体１７と接地１９との電位差を検出する。この電位差検出部２２は、例えば、図５に示すように、ダイオード２５、コンデンサ３０、Ａ／Ｄコンバータ２９を備えて構成することができる。高周波ノイズによってコイル１８に発生した高周波信号は、ダイオード２５によって整流され、コンデンサ３０によって平滑化される。ＣＰＵは、この平滑化された直流信号の電圧値をＡ／Ｄコンバータ２９によって読み取ることができる。人体の近接の判定に用いる電位差のレベル等は、ソフトウェアによって任意に設定・調整することができ、外部回路を簡単にし、部品数を低減することができる。
制御部８は、前述のとおり、電位差検出部２２によって検出された電位差をモニタしつつ、静電容量検出部２１により検出された静電容量の変化により人体の近接・非近接を判定するようにすることができる。
【００３０】
前記駆動部２３は、複数の発光ダイオード１５と電気的に接続されており、これら複数の発光ダイオード１５を駆動する。制御部８は、例えば、いずれかの検出用電極７に人体が近接したと判定した場合等に、その検出用電極部の発光ダイオード１５を駆動部２３によって発光させることができる。
また、前記制御部８は、各種機器２７（例えば、ルームライト、自動開閉式窓、ラジオ、エアコンディショナ等）と接続され、人体の近接の判定に応じて、対応する各種機器２７に制御信号を送ることができる。
【００３１】
本実施例の加飾パネルは、静電容量センサ５によって妨害電波による人体の近接の誤検知を防止することができる。また、電子回路基板９の導体１７によって、加飾パネルから外部へ放射される高周波ノイズを低減させるとともに、外部からの高周波ノイズによる加飾パネルの動作への影響を低減することができる。また、導体１７を介して発光ダイオード１５の放熱をすることができる。これらにより、制御部等の全体を覆う導電性ケースを備えるものに比べて、装置の小型化及び低コスト化を図ることができる。
【００３２】
尚、本発明においては、前記実施例に限られず、目的、用途に応じて本発明の範囲内で種々変更した実施例とすることができる。即ち、前記実施例では、電子回路基板９の電子回路９ａが発光素子（発光ダイオード１５）を備える形態を例示したが、これに限定されず、例えば、電子回路基板９の電子回路９ａが発光素子を備えない形態であってもよい。
【００３３】
また、前記実施例では、複数の検出用電極７を備える静電容量センサ５を例示したが、これに限定されず、例えば、１つの検出用電極のみを備える静電容量センサとしてもよい。
【００３４】
また、前記実施例では、各区画室１１に検出用電極７を１つずつ配設する形態を例示したが、これに限定されず、例えば、各区画室１１に複数の検出用電極を配設するようにしてもよい。また、前記実施例では、各区画室１１に発光素子（発光ダイオード１５）を１つずつ配設する形態を例示したが、これに限定されず、例えば、各区画室１１に複数の発光素子を配設するようにしてもよい。
【００３５】
また、前記実施例では、電位差検出部２２を簡易な整流・平滑回路とＡ／Ｄコンバータを用いて構成する形態を例示したが、高周波信号によって生じる電位差の検出回路はこれに限定されない。
【００３６】
また、前記実施例では、静電容量センサ５を備える車両用の加飾パネル１を例示したが、これに限定されず、例えば、冷蔵庫、洗濯機、エアコンディショナ等の電気製品に用いられる加飾パネルとしてもよい。
【００３７】
また、前記実施例では、静電容量センサ５を備える車両用の加飾パネル１として、車両のドアトリム２に取り付けられる形態を例示したが、これに限定されず、例えば、車両のコンソールボックス、天井、グローブボックス等の車両の内装材に取り付けられる加飾パネルとしてもよい。
【００３８】
本発明は前記で詳述した実施形態に限定されず、本発明の請求項に示した範囲で様々な変形または変更が可能である。
【産業上の利用可能性】
【００３９】
静電容量の変化により人体の近接を検知する技術として広く利用される。
【符号の説明】
【００４０】
５；静電容量センサ、７；検出用電極、８；制御部、９；電子回路基板、９ａ；電子回路、１５；発光ダイオード、１７；導体、１８；コイル、１９；接地、２２；電位差検出部。
【図１】
2010230438.tif 000003
【図２】
2010230438.tif 000004
【図３】
2010230438.tif 000005
【図４】
2010230438.tif 000006
【図５】
2010230438.tif 000007